Podtech/llm-jp-corpus-v4-ja_patent huggingface dataset:
(57)【要約】【課題】  従来、印刷原稿、商品提案書あるいは商品仕様書と撮影サンプルは別々の経路で印刷会社に入稿されることが多く、紛らわしい企画商品と混同されるミスも発生しており、また商品の説明画像等を追加要求されたときなど、営業担当者は手配する手間がかかっていた。【解決手段】  営業が使用する商品提案書あるいは商品仕様書に印刷に使用できる画像情報、文字情報を組み込んだ記録媒体を使用する。【選択図】図２
2005056155.tif 000002
【特許請求の範囲】
【請求項１】
営業担当者が使用する商品提案書、商品仕様書に、そのまま商業印刷の制作データとして使用できる使用説明画像、商品外観画像、商品展開画像、包材画像、商品企画情報としてのイメージ画像情報と、商品名、規格、原料、使用方法、商品履歴、不利益情報などの文字情報を組み込んだ営業支援システム。
【請求項２】
小売店などユーザーは、上記の記録媒体に記録された商品データとフレームデータを利用して、端末上でデータベースを構築することができる営業支援システム。
【発明の詳細な説明】
【技術分野】
【０００１】
本発明は、営業支援システム及び営業支援システムを記録した記録媒体に関する。
【背景技術】
【０００２】
それぞれの印刷物の印刷会社ごとに商品撮影しているため、撮影代とサンプル送付代がかかり、印刷物ごとに商品情報を入力しているため、制作や校正に時間がかかっていた。
【０００３】
また、画像データを付加した販売促進資料作成システムはあったが、商品案内帳票をプリンターで出力すること、検索等を通信ネットワークを使って運用することに、主眼がおかれ、商業印刷に使用出来る高精細画像データを組み込んで商業印刷の原稿とする概念がなかった。
【特許文献１】特開２０００−１１２９９２号公報（第２−３頁）
【発明の開示】
【発明が解決しようとする課題】
【０００４】
従来、文字原稿、商品提案書、あるいは商品仕様書と撮影サンプルは別々の経路で印刷会社に入稿されることが多く、紛らわしい規格商品と混同されるミスも発生しており、また商品の説明画像等を追加要求されたときなど、営業担当者は手間がかかっていた。
【課題を解決するための手段】
【０００５】
提案書にする商品を高解像デジタル撮影するか、写真原稿を高精細スキャナーで画像入力し、ファイリングする。文字情報と一括管理し、カードとして出力できるようにしたフレーム上では、画像を閲覧用の低解像度画像に変換され張込まれる様にプログラムし、ディスプレイ上でも再現出来る様にする。またそのデータを印刷物の制作時に使用できるようにして、記録媒体に記録する。
【０００６】
商品名検索とコード番号検索の機能及び一覧表示機能を付加し、記録媒体に記録したもの、およびカードとして出力した商品提案書を営業ツールとして利用する。
【発明の効果】
【０００７】
本発明は営業担当者のスキルに左右される事なく、必要な商品情報をユーザーと広告会社や印刷会社にもれなく提供することができる。
【０００８】
営業担当者は商品のイメージ画像を見せながら商談できるため、ユーザーは売り出しの企画がたてやすくなる。
【０００９】
制作や校正にかけていた時間が短縮でき、また撮影サンプル代と送付代を節約できる。
【発明を実施するための最良の形態】
【００１０】
以下、本発明の実態の形態を図１に基づいて説明する。
【００１１】
本発明による商品提案システムは、図１の通りキーボードによる文字情報入力装置１と、デジタル入力できるカメラもしくは、高精細スキャナー等の画像入力装置２と、プログラム制御によるデータ処理装置３と、ハードディスク装置等の記憶装置４と、ディスプレイ装置と、記録媒体に書き込む記録装置５と、プリントアウトできる出力装置６とで構成される。
【００１２】
提案書にする商品をＪＡＮコードなどの任意のコードで整理したあと、文字情報を入力装置を使って入力していく。同じコードを撮影の親番号とし、イメージや包材などの画像に枝番号をつけて画像入力装置２より入力する。
【００１３】
データ処理装置３で、同じコードの文字情報と画像情報を収集し、フレームデータにレイアウトし、シート状にプリントアウトできるように指示して、記憶装置４に記憶させる。
【００１４】
ディスプレー装置で入力情報を確認のうえ、検索機能を付加し、記録装置５で記録媒体に書き込むとともに、出力装置６で出力したものも、記録媒体と一緒に商品提案に使用する。
【００１５】
図２は商品提案書のフレームの仕様例である。請求項２もこのフレームを利用してデータベースをつくる。
【図面の簡単な説明】
【００１６】
【図１】営業支援システムのブロック図です。
【図２】フレームのレイアウト見本です。
【符号の説明】
【００１７】
１    文字情報入力装置
２    画像情報入力装置
３    データ処理装置
４    記憶装置
５    記録装置
６    出力装置
【図１】
2005056155.tif 000003
【図２】
2005056155.tif 000004
(57)【要約】【課題】安価に供給できて安全性も高い放射能除去装置を提供すること。【解決手段】死の灰の侵入口パイプ４と死の灰の侵入防止のための水７を有する容器２と、ペパフィルター３Ａを有する容器３と、電動送排風機２４とを備えてなる放射能除去装置１において、前期容器２内下部の水７の上昇をおさえるため、空気８Ａ、板８、網９等、を備え、更に容器３のペパフィルター３Ａにて空気は更に浄化され、電動送排風機２４にて保護室内に新鮮な空気として供給するものである。【選択図】      図３
2005010013.tif 000002
【特許請求の範囲】
【請求項１】
空気出入口を有する鋼鉄製容器と、上部を鋼鉄製蓋で密封された容器内に設けられた水とペパフィルターと送排風機を備えている放射能除去装置において、前記水とペパフィルターを、２個の鋼鉄製容器内にそれぞれ設置構成したことを特徴とする放射能除去装置。
【請求項２】
第１の容器は金属製の板に鉛板を密着し、右側面の上部の外気吸入口の穴には、金属製のパイプが容器内下部の水中に接続配置され、パイプ先端部分は空泡を出すための無数の小穴があり、水滴の上昇を防ぐための横板、網があり、容器左側面の上部の空気排出口より金属製のパイプ、ダクトホースなどが第２の容器に接続している請求項１に記載の放射能除去装置。
【請求項３】
金属製の板に鉛板を密着した第２の容器の左右側面に空気出入口があり、容器内にペパフィルターを設置し、第１の容器内の水の影響をさけるため第１の容器より第２の容器を高位置に配置し、第１の容器の空気排出口に水滴を下方に落とす為のチーズパイプを備えた請求項１又は２に記載の放射能除去装置。
【発明の詳細な説明】
【０００１】
【発明の属する技術分野】
本発明は、放射性塵の侵入口を有する鋼鉄製容器と、この鋼鉄製容器内に設けられた水とペパフィルターと送排風機により放射性塵を鋼鉄製容器内に誘引して除去する放射能除去装置に関するものである。
【０００２】
【従来の技術】
従来、この種の放射能除去装置は砂、或いは活性炭とフィルターで死の灰を除去する構造になっている。
【０００３】
【発明が解決しようとする課題】
しかしながら、前記従来の放射能除去装置は砂とフィルターで死の灰を除去する構造になっているがもし大量の塵が長時間にわたって入った場合、砂とフィルターが目詰まりする欠点があるし、放射能除去装置内の放射能度の高い間は砂もフィルターも交換することは人体に非常に危険であるし、室内も汚染される欠点があるように思われる。
【０００４】
本発明は以上のような問題点に鑑みてなされたものであって、安価に供給できて安全性も高い放射能除去装置の提供を目的とするものである。
【０００５】
【課題を解決するための手段】
前記目的を達成するため、本発明は、死の灰の侵入口を有する金属製容器と、この容器内に設けられる水と金属製板と網とを備えてなる死の灰除去容器と、ペパフィルターを備えた金属製容器と、送排風機で構成したものである。
【０００６】
【発明の実施の形態】
以下、本発明の一実施形態に係る放射能除去装置を図面に基づいて説明する。図中に全体を符号１で示される放射能除去装置は、鋼鉄板に鉛を密着した２個の箱状に形成された放射能除去容器２，３を備えている。
【０００７】
第１図は本発明の一実施例の構成を示す斜視図である。本実施例では屋外の空気取入口４より送排風機２４の力で金属製パイプ５、ダクトパイプ１６を経てパイプ出口６より放射性塵を含んだ外気は水中７に放出される。水７と金属製板８との間には空気８Ａがあり、水滴の上昇を防ぐためにナイロン製網９が幾重にも張られている。放射能除去容器２の蓋１０には容器２を密封するためのボルト、ナット１２があり、蓋１０の移動のための取っ手１３がある。容器２の上部、空気排出口６Ａより金属製パイプは容器３へ通じている。
【０００８】
空気排出口６Ａより排出された空気は金属製チーズパイプ１４、ダクトパイプ１６、容器３の空気流入口１７に移動するけれども、空気中の水分は金属製チーズパイプ１４の下のキャップ１５に溜まるようになっている。
【０００９】
容器３に入った空気はペパフィルター３Ａで浄化され、金属製パイプ排出口１７Ａより電動モーター２７の作用によりモーター吸入口２５、排出口２６よりシェルター内に放出される。ダクトパイプ１６は地震対策のため、容器２と家の壁２９の間、容器２と容器３の間、容器３と電動送排風機２４の間にそれぞれ配置され地震振動のため、機械の損傷を防ぐように配慮されている。容器３内のペパフィルター３Ａの点検のため、上部の蓋１９は取っ手２０があり、容器３内部密封のため、ボトルナット１８があり、容器３底部は木製または金属製の６脚柱２３、筋交い２３Ａの台上にボルトナット２１で固定し、脚柱２３、容器２も床２８にボルトナット１１にて固定する。
【００１０】
【発明の効果】
以上説明したように、本発明に係る放射能除去装置にあっては、容器２の下底部に水を適量入れる事によって塵は全て水と共に容器内２に留まり、容器３に移動しないことは実験により判明した。また、水７を大量に入れると外気の吸入が悪くなるので、水面下５ｃｍ以下の間に空気排出口６があるのが望ましい。
【００１１】
また、容器２の水面にある死の灰は１４日間で自然消滅するので金属製容器の蓋、側壁、底部などの金属、鉛部分を厚くすれば、人体への悪影響はないものと思われる。
【図面の簡単な説明】
【図１】本発明の一実施形態に係る放射能除去装置の斜視図である。
【図２】図１を上から見た図である。
【図３】図１のＡ−Ａ線における断面図である。
【符号の説明】
１                      放射能除去装置
２，３  容器
３Ａ                    ペパフィルター
４                      外気取入口
５                      鋼管パイプ
６，６Ａ，１７Ａ，２６  外気排出口
７                      水
８                      板
９                      網
１０，１９              蓋
１１，１２，１８，２１  ボルトナット
１３，２０              取っ手
１４                    チーズパイプ
１５                    パイプキャップ
１６                    ホースダクト
２２                    台板
２３                    柱
２３Ａ                  筋交い
２４                    電動送排風機
２７                    モーター
【図１】
2005010013.tif 000003
【図２】
2005010013.tif 000004
【図３】
2005010013.tif 000005
(57)【要約】【課題】従来の三脚に取り付けられたカメラやビデオカメラに対する防水方法は二つあるが、次のような問題点があった。三脚に傘を固定する方法は、横からの雨が防げない。また、風が吹くと傘があおられカメラやビデオカメラの映像がブレてしまう。カメラに合羽を被せる方法は、密閉状態のためにファインダーが高湿度で曇る。また、合羽の内部が暗いので作業性が悪い。本発明は、以上の問題点を解決するボードを提供する。【解決手段】ボード本体（１）の片端にカメラねじ穴（２）とその反対側にスリット（３）をもったサイズ調節部（４）を設ける。【選択図】図１
2005010705.tif 000002
【特許請求の範囲】
【請求項１】
ボード本体（１）の片端にカメラねじ穴（２）とその反対側にスリット（３）をもったサイズ調節部（４）を設けた、三脚用防水ボード。
【請求項２】
前面と後面が開口の四角形ボックス本体（９）の底面にカメラねじ穴（２）を設けた、三脚用防水ボード。
【請求項３】
前面と後面が開口の多角形ボックス本体（１０）の底面にカメラねじ穴（２）を設けた、三脚用防水ボード。
【発明の詳細な説明】
【０００１】
【発明の属する技術分野】
この発明は、三脚に取り付けられたカメラやビデオカメラをボードにより雨を防水することに関するものである。
【０００２】
【従来の技術】
従来の三脚に取り付けられたカメラやビデオカメラに対する防水方法には、三脚に傘を固定する方法とカメラに合羽を被せる方法の二つがある。
【０００３】
【発明が解決しようとする課題】
従来の三脚に取り付けられたカメラやビデオカメラに対する防水方法は二つあるが、次のような問題点があった。
三脚に傘を固定する方法は、横からの雨が防げない。また、風が吹くと傘があおられカメラやビデオカメラの映像がブレてしまう。
カメラに合羽を被せる方法は、密閉状態のためにファインダーが高湿度で曇る。また、合羽の内部が暗いので作業性が悪い。
本発明は、以上の問題点を解決するためになされたものである。
【０００４】
【課題を解決するための手段】
ボード本体（１）の片端にカメラねじ穴（２）とその反対側にスリット（３）をもったサイズ調節部（４）を設ける。
本発明は、以上の構成よりなる。
【０００５】
【発明の実施の形態】
以下、本発明の実施の形態について説明する。
湾曲性のあるボード本体（１）の片端にカメラねじ穴（２）とその反対側にスリット（３）をもったサイズ調節部（４）を設ける。
本発明は、以上の構成になっている。
本発明を使用する場合は、ボード本体（１）をサイズ調節部（４）が円筒の内側になるように丸め込む。
次に、雲台（５）のカメラねじ（６）をカメラねじ穴（２）とスリット（３）を通してカメラ（７）のねじ穴に差し込み回して固定する。円筒の大きさは、カメラねじ（６）をゆるめてサイズ調節部（４）をスライドさせ任意の大きさに調節する。
撮影後はボード本体（１）を伸ばし、かさばらないよう任意の形に変形させて収納する。
（実施例１）前面と後面が開放の四角形ボックス本体（９）の底面に設けられたカメラねじ穴（２）にカメラねじ（６）を通し、カメラ（７）のねじ穴に差し込み回して固定する。
撮影後はボード本体（１）を折りたたんで収納する。
（実施例２）前面と後面が開放の多角形ボックス本体（１０）の底面に設けられたカメラねじ穴（２）にカメラねじ（６）を通し、カメラ（７）のねじ穴に差し込み回して固定する。
撮影後はボード本体（１）を折りたたんで収納する。
【０００６】
【発明の効果】
１．カメラやビデオカメラを包み込むような円筒形なので、横からの雨・風に強い。
２．円筒形の大きさを調節できるので、カメラやビデオカメラの大きさに合わせることができる。
３．密封状態ではないので、ファインダーが曇ることがない。また、カメラの各部位を明るい視野で操作できる。
４．自然光を遮光するので、カメラやビデオカメラの液晶モニターの画像が見やすい。
５．収納時は、円筒形を伸ばして運び易い形に変形さることができる。
【図面の簡単な説明】
【図１】本発明の取り付け前の平面図
【図２】本発明の実施例を示す斜視図
【図３】本発明の要部拡大の斜視図
【図４】本発明の実施例を示す正面図
【図５】請求項１の実施例を示す斜視図
【図６】請求項１の収納例を示す斜視図
【図７】請求項２の実施例を示す斜視図
【符号の説明】
（１）ボード本体、（２）カメラねじ穴、（３）スリット、４）サイズ調節部、（５）雲台、（６）カメラねじ、（７）カメラ、（８）三脚の足、（９）四角形ボックス本体、（１０）多角形ボックス本体
【図１】
2005010705.tif 000003
【図２】
2005010705.tif 000004
【図３】
2005010705.tif 000005
【図４】
2005010705.tif 000006
【図５】
2005010705.tif 000007
【図６】
2005010705.tif 000008
【図７】
2005010705.tif 000009
(57)【要約】      （修正有）【課題】光源の自然光をＰ波、Ｓ波に分解し、更に単一偏波面に変換する位相差板をもつＰＢＳコンバーターにおいて、照度を上げ、耐久性を高める。【解決手段】粘着剤の劣化がＰＢＳコンバーターの耐久限界を決定するため、粘着剤を使わず、ＰＢＳに位相差板を搭載すれば耐久性の向上が可能である。そこであらかじめ高分子の偏光子を２枚の薄いガラスの間に耐熱接着剤でラミネートし、ＰＢＳコンバーターのピッチに合わせてカットして、耐熱接着剤で接着する。【効果】これによりＰＢＳコンバーター全体の熱耐久性を向上する事ができる。また位相差板（λ板）の表面精度もガラスになるため光の拡散を防ぐ事が出来る。更に反射防止膜をＰＢＳコンバーターの表裏面に施すが、定着強度が増し傷、はがれ等の光拡散要因を減らす事が出来る。【選択図】なし【特許請求の範囲】
【請求項１】
高分子組成の光学機能フィルム単層あるいは複層を２枚の薄いガラスの間に挟み接着剤でラミネート接合してある事が特徴の高分子とガラスの複合構造を持ったフィルター。（図２）
【請求項２】
【請求項１】のフィルターをＰＢＳのピッチに合せてカットし、耐熱接着剤でＰＢＳプリズムアレイの出射光側に接合搭載したＰＢＳコンバーター。（図３）
【請求項３】
【請求項１】のフィルターを任意の大きさにカットして光学フィルターとして使用する。
【発明の詳細な説明】
【０００１】発明に関する技術分野
［液晶プロジェクター光学エンジン部］
この発明は液晶プロジェクター等の光源のＰＢＳ・コンバーターに搭載しているλ／２位相差板を２枚のガラスに挟み込んで接着剤によるラミネート接合をする事によって、粘着剤不用のラミネート型位相差板（λ板）が出来る。そのラミネート型位相差板をＰＢＳのプリズムのピッチに合せてカットしてＰＢＳに接着剤によって接合搭載する。
【０００２】従来の技術
液晶プロジェクターは液晶パネル内を効率よく透過させるために光源の自然光を偏光変換素子（ビームスプリッター）及びλ／２位相差板を使い、偏波面をＳ波あるいはＰ波に統一させる必要がある。
このときλ／２位相差板は粘着材を塗布しＰＢＳビームスプリッターの出射光側に貼合してある。この粘着剤がプロジェクター内で最初に劣化が始まる。
【０００３】発明が解決しようとする課題
従来の技術の弱点
λ／２位相差板は高分子でできていて、外部露出で搭載されている事によって熱耐久性、耐湿性が弱く、さらに粘着材で貼合されていることで粘着剤の耐久性も同時に全体の耐候性に影響を及ぼす事になっている。
【０００４】課題を解決するための手段
位相差板（λ板）を２枚のガラスで接着剤を使ってラミネート接着をする。（図２）
【０００５】実施形態の効果
λ位相差板を２枚のガラス内に挟み込んで接着する事の効果
λ位相差板を２枚のガラスに挟みこんで接着する事によって、高分子が空気に触れる面積を小さくする事が出来る。その事が耐湿性の向上につながる。
【０００６】
高分子である位相差板（λ板）に直接反射防止コートをするよりもガラス表面に反射防止膜（ＡＲコート）を施した方が薄膜強度を得ることが出来る。
【０００７】
位相差板（λ板）をガラスの中に封じ込める事によって、両面ともガラスの平面精度が転写される事になり位相差板（λ板）の平面精度が格段に上がり、光の拡散を制御します。
【図面の簡単な説明】
【図１】２枚のガラスに位相差板（λ板）を挟み込んで接着するという構造。
【図２】２枚のガラスに位相差板（λ板）を挟み込んで接着すした様子。
【図３】図２の２枚のガラスにラミネート接着された位相差板（λ板）をＰＢＳコンバーターのピッチにカットして出射光側に接着剤で接合した構造。
【図４】ＰＢＳコンバーターに位相差板（λ板）を接合した構造に不定光が入射し、ＰＢＳコートによってＰ波、Ｓ波に分離され、さらに２枚のガラスにラミネート接着された位相差板（λ板）を通過して、偏頗面がＳ波に統一されて出射していく様子。
【図１】
2005010710.tif 000002
【図２】
2005010710.tif 000003
【図３】
2005010710.tif 000004
【図４】
2005010710.tif 000005
(57)【要約】【目的】医師が脳外科手術おいて、細い血管と細い血管を縫い合わすとき。不安なく確実に縫い合わす事が出来るように血管精密模型でもつて練習して、血管の縫い合わせ枝術を取得するため。【構成】内径０，５ｍｍ至る内径２，０ｍｍで厚み０，０５ｍｍ至る厚み０，３ｍｍ管状で任意のながさを有し材質がシリコーンゴム等から構成している血管精密模型。【選択図】        図１
2005010709.tif 000002
【特許請求の範囲】
【請求項１】
内径０．５ｍｍ至る内径２．０ｍｍで厚み０．０５ｍｍ至る厚み０．３ｍｍの管状で任意の必要な長さを有し材質がシリコーンゴム・・ラテクスゴム・天然ゴム・合成ゴムから成る柔軟な血管精密模型。
【発明の詳細な説明】
産業上の利用分野
本発明は、医師が脳外科手術でもつて細い血管と細い血管の接合部を極小さな針とその針に取付けた極細の糸お顕微鏡を使かいピンセトで極小さな針を鋏んで持ち縫い合わせる高度枝術を必要とされている。
上記の高度枝術を前もつて医師が必要に応じて血管の接合部を縫い合わせる枝術を取得するための血管精密模型に関する。
従来の枝術
従来は、細い血管お顕微鏡を使い縫い合わせる枝術の取得は、他の医師の手術を見たり手術の記録ビデオを見たりして他の医師の指導受けたり、其の他に薄い手術用の手袋お顕微鏡を使いピンセットで極小な針と極細い糸で縫い合わせて枝術を取得していた。
発明が解決しようとする課題
医師が脳外科手術において、細い血管を縫い合わせている手術を見たり、手術のビデオを見て指導を受けて取得したり。其の他に薄い手術用手袋を縫い合わせて血管の接合部の縫い合わせ枝術を取得している為、医師自身が人間の脳外科手術をして細い血管と細い血管の接合部お縫い合わせをする時。
血管が細いので、顕微鏡を覗きながら手に極細い糸を取付けた極小の針をピンセットで鋏んで持ち細い血管の接合部縫い合わす場合、手術をしている手が震える場合があったりして細い血管の接合部縫い合せの不安が生じる問題点がある。
本発明は、脳の細い血管と細い血管の接合部を不安無く確実に縫い合わせ出来るように練習する為の血管精密模型を提供することを目的とする。
課題を解決するための手段
上記目的を達成するために、本発明の素材は、シリコーンゴム・ラテクスゴム・天然ゴム・合成ゴム等の素材で血管精密模型を製作し細い血管と細い血管の接合部の縫い合わせを不安なく確実に出来るように練習するものである。
血管精密模型は、内径０．５ｍｍ至る内径２．０ｍｍで血管の厚み０．０５ｍｍ至る厚み０．３ｍｍの管状で必要な長さ例えば、３０ｍｍ至る６０ｍｍの材質を柔軟なシリコーンゴム・ラテクスゴム・天然ゴム。合成ゴム等でもつて成形加工をして成る血管精密模型である。
上記に依って製作された血管精密模型でもつて細い血管と細い血管の接合部の縫い合わせ枝術練習を日常出来るので、縫い合せ枝術を取得して、医師の脳外科手術の折り細い血管接合部の縫い合わせ枝術は自信を持つ事が出来て確実になり最も良い手術が出来る。
実施例
実施例について図面を参照して説明すると、図１の血管精密模型図において、（１）は血管精密模型の断面図で（Ａ）は内径（Ｂ）は厚みで、（１）血管精密模型の直径（Ａ）は空間で（Ｂ）の厚みを有し、（２）は側面図で（Ｃ）の長さを有する管状を表している。
血管精密模型（１）の内径（Ａ）は０、５ｍｍ至る２、０ｍｍ、（Ｂ）の厚みは０、０５ｍｍ至る０，３ｍｍで長さ３０ｍｍ至る１００ｍｍ（長さは必要な任意長さとする）の管状にシリコーンゴム・ラテクスゴム・天然ゴム・合成ゴム等で成形加工されて成る血管精密模型を表はしている。
図１血管精密模型のシリコーンゴム等の柔軟さは人間の肌の柔軟に等しい値に近い値を有して成る血管精密模型である。
上記の、血管精密模型を用いて血管接合部の縫い合わせの練習をすることによって、人間の脳外科手術の折り血管の接合部の縫い合わせを医師が自信を持って確実に出来るので、人間の生命を守る事が出来るので、その効果は社会的に大きい。
【図面の簡単な説明】
【図１】血管精密模型図である。
【符号の説明】
１、    断面図
２、    側面図
Ａ，    内径
Ｂ，    厚み
Ｃ，    長さ
【図１】
2005010709.tif 000003
(57)【要約】【目的】盗用の極めて困難な量子暗号の解読法を提供する【構成】微小粒子（電子）をスリットを多数回通過させることにより特定の干渉模様であるラウエの斑点にビットの「１」「０」を対応させて、特定の暗号を解読する量子暗号解読法【選択図】図１
2005010706.tif 000002
【特許請求の範囲】
【請求項１】
微小粒子を照射し、当該微小粒子をスリットを通過させ形成した干渉模様であるラウエの斑点のパターンに各ビットの［０］，［１］を対応させ所定の数値に解読する量子暗号解読法
【発明の詳細な説明】
【０００１】
［産業上の利用分野］
情報通信のデータの内容の暗号化に関する。
【０００２】
［従来の技術」
従来は数値等で暗号化していた。
【０００３】
［発明が解決しようとする課題］
解読が理論上不可能な量子暗号化を可能にする量子暗号解読法を提供することを目的とする。
【０００４】
［課題を解決するための手段］
微小粒子は複数のスリットを通過した場合、一回だけの照射ではかってな干渉模様を作る。しかし多数回照射を繰り返すといわゆるラウエの斑点のようなある規則性を持った明暗模様を作る。この模様の明暗に各ビットの「１」「０」を対応させ暗号を解読する。
【０００５】
［作用］
微小粒子照射源から微小粒子を多数回照射し、当該微小粒子を複数のスリットを通過させ形成した干渉模様であラウエの斑点のパターンに複数の各ビットの［０］，［１］を対応させ所定の数値に解読する
【０００６】
［実施例］
微小粒子として電子を使用した場合の本発明の好ましい実施例を述べる。
［図１］において、電子の導線（１）に暗号化された電圧の電流が送信先から送られてくる。この導線は電子銃（３）に接続されている。
この電子銃（３）からは電子が照射されている。この電子のエネルギーレベルを情報に応じて変化させる。すると二つのスリット（５）を通過した電子（４）は一回の照射では全く不規則に電極（６）に届くが、多数回、この電子（４）を照射すると特定の干渉模様であるラウエの斑点を形成する。［図１］において、この干渉模様の明るい部分は電子（４）が多く当たった部分であるから、電極（５）を通してコンデンサ（７）により多くの電荷が蓄積される。このビット（８）を「１」と判断し、コンデンサ（７）に十分に電荷が蓄積されていないビット（８）は「０」と判断する。
このように、ビット群（８）により暗号化されたデータを解読する。
【０００７】
［発明の効果］
極めて盗用の危険性のない量子暗号とその量子暗号解読法を提供する
【図面の簡単な説明】
【図１】は本発明の概念図である。
【符号の説明】
（１）暗号を電気的に伝える導線
（２）量子暗号解読器
（３）電子銃
（４）電子
（５）スリット
（６）電極
（７）コンデンサ
（８）量子暗号が解読されたデータの端子
【図１】
2005010706.tif 000003
(57)【要約】      （修正有）【課題】入山位置・集合場所・山菜採取箇所等の位置が遠くからでも、確認可能とする。【解決手段】空気より軽いガスで膨らませたバルーンを、凧糸等に結びつけて浮上させ、適宜の高さまで糸を延ばし、その位置を掲示することとした。バルーンの色調は、視認効果がより高い黄色を基本色調にし、鳥害防止のために、黄・茶・黒・赤を組み合わせ、更にその距離感覚を得るために、黒丸の切れ目の模様を配し、遭難時には、上空のヘリコプターからその位置が、簡単に確認できるように、黄・茶・青・黒・赤等の円形模様にする。【選択図】図１
2005010720.tif 000002
【特許請求の範囲】
【請求項１】
山菜採りの遭難を防止するための「携帯式遭難防止位置表示キット」
【発明の詳細な説明】
【０００１】
【発明の属する技術分野】
この発明は、山菜採り、登山者等の遭難防止のために、その位置が遠望できる「携帯式遭難防止位置表示キット」に関するものである。
【０００２】
【従来の技術】従来は、山菜採りにあっては、集合場所・山菜採取箇所等にラジオを設置し、音量を高くしてその音の聞こえる範囲内での行動としたり、磁石での位置確認、地図の活用、熟練者との同道等と、面倒で不自由、且つ遭難に注意を払うなどの煩わしさがあり、山菜採りを個人の自由な楽しみで行うには程遠いものがあった。
【０００３】
【発明が解決しようとする課題】
入山位置・集合場所・山菜採取箇所等の位置が遠くからでも、確認できれば、その見える範囲内での行動ができ、更にその掲示物を二次、三次の位置に設置すれば、相当遠方へも行動範囲を広げることが可能であることから、ある程度の高さに掲示物を、掲示し遠方からでも確認できる方法を検討・工夫することとした。
【０００４】
【課題を解決するための手段】
入山位置・集合場所・山菜採取箇所等の位置が遠くからでも確認できるようにするためには、高い位置に掲示物を掲げることとし、その掲示方法について、伸縮性の釣り竿状のもの・立ち木の最上部等を種々検討したが、山菜採りという重労働を考慮し、できるだけ労力を収穫に費やし、本件については、簡易・軽量のキットを追及した。その結果、空気より軽いガスで膨らませたバルーンを、凧糸等に結びつけて浮上させ、適宜の高さまで糸を延ばし、その位置を掲示することとした。バルーンの色調は、視認効果がより高い黄色を基本色調にし、鳥害防止のために、黄・茶・黒・赤を組み合わせ、更にその距離感覚を得るために、黒丸の切れ目の模様を配し、遭難時には、上空のヘリコプターからその位置が、簡単に確認できるように、黄・茶・青・黒・赤等の円形模様にする等で、課題を解決した。
【０００５】
【発明の実施の形態】
空気より軽いガスで膨らませたバルーンを、凧糸等に結びつけて浮上させ、適宜の高さまで糸を延ばし、その位置で掲示し、バルーンを黄色色調にすることで、視認効果を増した「携帯式遭難防止位置表示キット」
【０００６】
【発明の効果】山菜採りの、入山位置・集合場所・山菜採取箇所等の位置が遠くからでも確認でき、遭難を気にせず自由且つ広範に、山菜採りを楽しむことが、可能になった。
【図面の簡単な説明】
【図１】携帯式遭難防止位置表示キット図−１
遭難防止キットの収納状況から、バルーンへガス充填へ至る状況の展開図。
【図２】携帯式遭難防止位置表示キット図−２
遭難防止キットのバルーンへガスを充填し、掲示した状況。
【図１】
2005010720.tif 000003
【図２】
2005010720.tif 000004
(57)【要約】【課題】処分される投票用紙を選挙用掲示板に利用して、選挙に伴う環境負荷の発生を防止する。【解決手段】厚紙から成る板状基材１を、投票用紙を原料とする再生ポリプロピレンを用いた被覆層２によりラミネートして選挙用掲示板を形成する。処分される投票用紙を被覆層２の材料として利用しているので、投票用紙を焼却や埋め立て処分する必要がなくなり、選挙に伴う環境負荷の発生が防止される。【選択図】  図１
2005010342.tif 000002
【特許請求の範囲】
【請求項１】
厚紙から成る板状基材を、再生ポリプロピレンを用いた被覆層によりラミネートした選挙用掲示板。
【請求項２】
前記被覆層をフィルム化して接着剤により板状基材に貼着した請求項１に記載の選挙用掲示板。
【請求項３】
紙片等の砕屑物と、再生ポリプロピレンを材料とする繋ぎ樹脂とを混合し、加熱してプレスした選挙用掲示板。
【発明の詳細な説明】
【０００１】
【発明の属する技術分野】
この発明は、選挙用ポスターの掲示に使用する紙材を主体とした掲示板に関するものである。
【０００２】
【従来の技術】
一般に、選挙運動期間中に立候補者のポスターを並べて貼り付けておく掲示板として、木製の合板が使用されている。
【０００３】
また、下記特許文献１に示すように、耐水板紙の両面に新品樹脂を用いたフィルムを貼着したものも提案されている。
【０００４】
【特許文献１】
特開平７−３３４１０４号公報
【０００５】
【発明が解決しようとする課題】
ところで、選挙で使用されている一般的な投票用紙は、大部分がポリプロピレン製であり、使用された投票用紙や棄権により使用されなかった投票用紙は、一定期間保管された後、投票の秘密保持上焼却処分や埋め立て処分される。また、紙製の点字用投票用紙や不在者投票用封筒等についても同様の処理がされる。
【０００６】
しかしながら、上記のようにポリプロピレン製の投票用紙を焼却すると、多量の炭化物を含んだガスが排出され、埋め立て処分すると、自然分解されずに土壌中に残存するという問題がある。
【０００７】
そこで、この発明は、処分される投票用紙を選挙用掲示板に利用して、選挙に伴う環境負荷の発生を防止することを課題とする。
【０００８】
【課題を解決するための手段】
上記課題を解決するため、この発明に係る選挙用掲示板は、厚紙から成る板状基材を、投票用紙を原料とする再生ポリプロピレンを用いた被覆層によりラミネートして形成したのである。
【０００９】
ここで、前記被覆層は、押出ラミネート法により基材に直接ラミネートするとよい。また、予めフィルム化しておき、このフィルムを接着剤により板状基材に貼着してもよい。
【００１０】
なお、紙片等の砕屑物と、再生ポリプロピレンを材料とする繋ぎ樹脂とを混合し、加熱してプレスすることにより、選挙用掲示板を形成してもよい。
【００１１】
【発明の実施の形態】
以下、この発明の実施の形態を添付図面に基づいて説明する。
【００１２】
図１に示す選挙用掲示板は、厚紙製の板状基材１の両面を樹脂製の被覆層２によりラミネートしたものである。
【００１３】
板状基材１は、例えば、坪量６６０ｇ／ｍ２  の耐水性を有する紙管原紙１ａを複数枚重ねて貼り合わせたものであり、その貼り合わせには、例えば、酢酸ビニル系の接着剤が使用されている。紙管原紙１ａの材料には、紙製の点字用投票用紙や不在者投票用封筒等を再利用することも可能である。
【００１４】
被覆層２は、投票用紙を原料とする再生ポリプロピレンを、ポリエチレン等の新品樹脂と混ぜて、又は単独で使用し、Ｔダイ押出ラミネート等の方法により、板状基材１に貼着されている。
【００１５】
被覆層２の厚さは、３０μｍ程度とし、美粧性を高める必要があれば、原料に炭酸カルシウム、タルク、カオリン等の顔料を添加すればよい。また、板状基材１に予め印刷を施しておいてもよい。
【００１６】
上記のような選挙用掲示板では、処分される投票用紙を被覆層２の材料として利用しているので、投票用紙を焼却や埋め立てする必要がなくなり、選挙に伴う環境負荷の発生が防止される。
【００１７】
また、上記選挙用掲示板は、樹脂と紙とを組み合わせて形成されているので、長期間屋外に設置した状態でも、反りが生じにくく、美観が保たれる。
【００１８】
なお、上記のように、押出ラミネートで被覆層２をラミネートすると、生産性に優れ、低コストで提供することができるが、被覆層２を予めフィルム化しておき、そのフィルムを接着剤で板状基材１に貼着するようにしてもよい。
【００１９】
そのほか、上記のようなラミネートによる構成に代えて、図２に示すように、紙片や木屑等の砕屑物３に、投票用紙を原料とする再生ポリプロピレンが単独で又は新品樹脂に含有されて使用された繋ぎ樹脂４を混合し、加熱してプレスすることにより、選挙用掲示板を形成してもよい。
【００２０】
ところで、この発明では、投票用紙を原料とする再生ポリプロピレンを、選挙用掲示板の形成に利用しているが、この再生ポリプロピレンは、選挙用以外の看板や建材などにも、上記各実施形態と同様の方法で利用することができる。
【００２１】
【発明の効果】
以上のように、この発明に係る選挙用掲示板では、処分される投票用紙を、厚紙から成る板状基材をラミネートする被覆層として用いるので、投票用紙を焼却したり埋め立てたりする必要がなくなり、選挙に伴う環境負荷の発生を防止することができる。
【図面の簡単な説明】
【図１】この発明の第１実施形態に係る選挙用掲示板の断面概略図
【図２】この発明の第２実施形態に係る選挙用掲示板の断面概略図
【符号の説明】
１  板状基材
２  被覆層
３  砕屑物
４  繋ぎ樹脂
【図１】
2005010342.tif 000003
【図２】
2005010342.tif 000004
(57)【要約】【課題】多数の画像と音声を同期させて映写するに当たって音声部と画像の組み合わせ間違いを避け且つ画面と其の説明を同期させる映写方式の開発。【解決手段】透明なフィルム上に複数の画像を印画し、同時に此の画像と組み合わせて識別子を設ける。此のフィルムをディスクとし音声ＩＣを固定したディスクカセットに収容する。映写装置に識別子を検出する機能を持たせればＩＣから読みだした音声と画像を同期させて映写できる。【選択図】  図１
2005010441.tif 000002
【特許請求の範囲】
【請求項１】
回転可能なディスクの外周に沿って複数の画像と位置識別子の組み合わせを配置し、ディスクを収納するカセットに画像の説明をする音声ＩＣを組み付け、音声と画像位置を同期させて投影する音声付きディスクカセット映写機。
【発明の詳細な説明】
【０００１】
【発明の属する技術分野】
本発明は映像技術に属する。
【０００２】
【従来の技術】
従来の映写機で音声の連動は映写されるロ−ルフィルムに焼き付けたサウンドトッラク信号を読み出すシネマ方式、テ−プレコ−ダ−からの画面転換信号音で画面を差し替えるスライド映写機等が在ったが８ｍｍ式を除くシネマでは機器が高価で在るために取扱い資格を要したり、スライド方式ではテ−プと組み合わせる画面が異なる、画面順序が違う等の設定ミスも起き易かった。
【０００３】
【発明が解決しようとする課題】
予め決められた枚数の映写される画面を順番に固定配置し、これと予め再生される音声信号を記録したＩＣを組み合わせ固定する事で画面と音声が異なる事は避けられる。次いで映写するに当たって画面と音声の同期が問題となる。音声ＩＣは常に最初から読み出せるが、画像を常に一列に配置しない限りは現在映写位置にある画像が最初とは限らない所が問題と成る。
【０００４】
【課題を解決するための手段】
複数の画像をディスク外周に沿って配置し、画像の区別にはそれぞれに識別子を組み合わせて順位表示する、識別方法は２進法に依るドッドマ−クでも良くこの組み合わせは画像に依り増減する事が出来る。更にディスク外周の画像は複数の画面を同時に一枚のディスクに印画すれば順序間違いも避けられ取扱いも簡単になる。此のディスクを音声ＩＣを固定したカセットに収納すれば音声との間違いも解消できる。
【０００５】
【発明の実施の形態】
図１はディスクの１例で１６の画像を外周に配した図である。画像を作成する板は透明で電気的に絶縁体で在るから画像の中心寄りに穿孔し検出装置と組み合わせれば直ちに識別子として使用できる。４個１組の識別子で１６種が区分でき映写位置にある画像が明確となる。１−１は画像を持つ回転部分の詳細を示し、外周に画像を配し其の内側に識別子を配置した。１−２は１−１の画像部を保持し音声ＩＣを保持するディスクカセット機構を示す。
【０００６】
図２は此の音声ディスクカセットを使用する映写機の概要を示す。２−１はディスクカセットであり、匡体２−２は電源及び映写レンズ、ディスクを駆動するモ−タを収納する部分、匡体２−３は光源及び音声ＩＣ再生の電子基板を収納する部分とに分かれ、ディスクカセット２−１は匡体２−２と匡体２−３に挟まれて保持される。画像部分は匡体２−２内のモ−タ２−４に依ってディスク内径に施された噛み合わせで駆動され、１−１に設けられた識別子と別途取付られた検出部で投影位置に所用の画像が設定される。
【０００７】
識別子を感知する検出部は分離式では２−１のディスクカセットを挟む匡体２−２と匡体２−３とに分けて取り付けられる。映写位置に在る画像が投影される画像か否かを検出しモ−タ−を駆動し映写画面を選別する。更に音声ＩＣの端子受けを匡体２−３若しくは匡体２−２に設けてカセットを固定する事で電気的接触を完成させる。
【０００８】
【実施例】
実施に於いては画像は一枚の透明板上に印刷しディスクを作成し、識別子は２進法のパンチ穴として接触検出を行い、ディスク内径に歯形を作りこれに依ってモ−タ−と連動させた。電源に電池を用いてランプとモ−タ−、基板の電力を賄う。光源のランプは小型ハロゲンランプの２．４Ｗ定格を用いる事で発熱に対しての冷却を特に考慮する必要が無く単に通気孔を設けて騒音の原因となる冷却ファンを省略できた。
【０００９】
【発明の効果】
画像作成を印刷で行い、極度の拡大映写は行わなかったが投影画面と音声の同期も間違いなく行われ満足できる結果を得た。
【図面の簡単な説明】
【図１】ディスク上の画像及び識別子と、ディスクカセット機構の概略を示す。
【図２】ディスクを用いた映写機の概要を示す。
【図１】
2005010441.tif 000003
【図２】
2005010441.tif 000004
(57)【要約】【課題】手早くオキアミ等の塊を解して撒き餌を作ることができる撒き餌攪拌具を得る。【解決手段】撒き餌攪拌具１を、粉末餌と冷凍オキアミ等Ｂを混ぜて撒き餌を作る際に冷凍オキアミ等Ｂを突き崩すための刃２と、この刃２の両端を支持する二股フレーム３と、この二股フレーム３の端部に設けられたグリップ４とを有し、上記二股フレーム３の脚部に、内向きに突出する攪拌棒部５が設けられた構成とした。【選択図】図１
2005073596.tif 000002
【特許請求の範囲】
【請求項１】
粉末餌と冷凍オキアミ等を混ぜて撒き餌を作る際に冷凍オキアミ等を突き崩すための刃と、この刃を支持する二股フレームと、この二股フレームに設けられたグリップとを有し、上記二股フレームの脚部に、内向きに突出する攪拌棒部が設けられた撒き餌攪拌具。
【発明の詳細な説明】
【技術分野】
【０００１】
この発明は、魚釣に用いる撒き餌を作るときに、冷凍オキアミ等を突き崩し、粉末餌とかき混ぜるために使用される撒き餌攪拌具に関する。
【背景技術】
【０００２】
魚釣方法の一つに、集魚用の餌（撒き餌）を自分の釣ポイントの付近に投げ入れて魚を呼び寄せる撒き餌釣がある。この撒き餌釣では、オキアミやアミエビと、粉末餌などの材料を混ぜた撒き餌が広く用いられている。このような撒き餌釣を楽しむ場合、予めこれらの材料を購入し、撒き餌を入れるための容器（バッカン）とともに釣り場へ持ち込む必要がある。
【０００３】
ところで、磯釣りなど釣り場へ到着するまで時間がかかる場合、生のオキアミやアミエビを持っていくと、釣り場に着くまでにオキアミ等が傷んでしまうので、冷凍されたオキアミ等が使用されている。
【０００４】
このような冷凍オキアミ等を材料として撒き餌を作る場合、釣り場について撒き餌を作ろうとしても、冷凍オキアミ等はカチカチのブロック状態だから、そのままでは撒き餌を作ることができない。そこで、従来から、次のような方法で撒き餌が作られている。バッカンの中に冷凍オキアミ等のブロックを置き、ブロックに海水を少しずつかけて解凍しながら、熊手や、金属へらを用いてブロックを突き崩していく。そして、ブロックがある程度ばらばらに崩れて小塊になると、粉末餌をバッカンの中に入れ、オキアミ等の小塊と粉末餌とを攪拌する。オキアミ等の小塊が解れて粉末餌とまんべんなく混ざると、撒き餌が完成する。
【発明の開示】
【発明が解決しようとする課題】
【０００５】
しかしながら、上記のように熊手や金属へらを用いて攪拌する場合、熊手や金属へらの先端部で突かない限りオキアミ等の小塊を解すことができないので、オキアミ等の小塊と粉末餌とが混ざり難く、撒き餌作りがはかどらないという問題があった。
【０００６】
そこで、この発明の課題は、手早くオキアミ等の塊を解して撒き餌を作ることができる撒き餌攪拌具を得ることにある。
【課題を解決するための手段】
【０００７】
上記の課題を解決するため、この発明は、撒き餌攪拌具を、粉末餌と冷凍オキアミ等を混ぜて撒き餌を作る際に冷凍オキアミ等を突き崩すための刃と、この刃を支持する二股フレームと、この二股フレームに設けられたグリップとを有し、上記二股フレームの脚部に、内向きに突出する攪拌棒部が設けられた構成としたのである。
【０００８】
上記の構成によれば、バッカンの中で撒き餌攪拌具を上下に動かすと、オキアミ等の小塊と粉末餌とを刃のグリップ側の縁部と攪拌棒部とで攪拌することができる。
【発明の効果】
【０００９】
このため、この発明の撒き餌攪拌具を用いると、オキアミ等の小塊を刃と攪拌棒部とで次々と解しながら、オキアミ等の小塊と粉末餌とを攪拌できるので、手早く撒き餌を作ることができる。
【発明を実施するための最良の形態】
【００１０】
この発明の最良の実施形態を図面に基づき説明する。図１は、この発明を実施するための最良の形態の撒き餌攪拌具を示し、図２は、図１のＡ−Ａ断面の矢視図を示している。図１において、１は、刃２と、この刃２を支持する二股フレーム３と、この二股フレーム３に設けられたグリップ４とを有し、二股フレーム３の脚部に、内向きに突出する攪拌棒部５が設けられた撒き餌攪拌具である。
【００１１】
図２に示すように、刃２は、股部３ａを曲率中心に持つ弧状の刃で、楔形断面を有するように形成されている。勿論、刃２は、粉末餌と冷凍オキアミ等を混ぜて撒き餌を作る際に冷凍オキアミ等のブロックを突き崩すことができるものであればよく、例えば、刃を、直線状の刃型で、その外縁に鋸歯を設け、楔形断面を有するように形成することもできる。また、刃２のグリップ４側の縁部２ａに刃付けをしてもよい。
【００１２】
上記刃２は、その両端をＹ字形棒状の二股フレーム３で支持されている。二股フレーム３には、棒状など刃２で冷凍オキアミ等のブロックを突き崩す際の衝撃に耐え得るものを用いる。
【００１３】
この二股フレーム３の脚部には、内向きに攪拌棒部５が設けられている。攪拌棒部５は、刃２のグリップ４側の縁部２ａとの間および股部３ａとの間に隙間を空けて、刃２に沿って二股間を渡るように設けられている。刃２のグリップ４側の縁部２ａと攪拌棒部５との隙間を３５ｍｍ以上、攪拌棒部５の中央と股部３ａとの隙間を７５ｍｍ以上に設けることが望ましい。
【００１４】
攪拌棒部５には、例えば、図３に示すように、交互にずらして対向配置された、内向きに突出する鎌状の攪拌棒部５’を用いることもできる。
【００１５】
二股フレーム３のロッド部３ｂにはグリップ４が取り付けられている。無論、グリップ４を、二股フレーム３と同時一体形成することもできる。
【００１６】
上記の構成の撒き餌攪拌具１の使用状況を図４に基づき説明する。
図４（ａ）に示すように、バッカンＣの中に冷凍オキアミ等のブロックＢを置き、ブロックＢに海水を少しずつかけて解凍しながら、図４（ｂ）のように、撒き餌攪拌具１の刃２でブロックＢを突き崩していく。そして、ブロックＢがある程度ばらばらに崩れると、粉末餌をバッカンＣの中に入れ、オキアミ等の小塊Ｂ’と粉末餌とをかき混ぜながら撒き餌攪拌具１を上下に動かす。
【００１７】
以上の動作により、図４（ｃ）（ｄ）のように、撒き餌攪拌具１を上方に引き上げる際、グリップ側の縁部２ａと攪拌棒部５とによってオキアミ等の小塊Ｂ’が次々と解されながら、オキアミ等の小塊Ｂ’と粉末餌とが攪拌されるので、手早く撒き餌を作ることができる。
【図面の簡単な説明】
【００１８】
【図１】この発明を実施するための最良の形態の撒き餌攪拌具を示した全体斜視図である。
【図２】図１のＡ−Ａ断面の矢視図である。
【図３】図１の撒き餌攪拌具において、攪拌棒部の別の例を示した部分拡大図である。
【図４】図１の撒き餌攪拌具の使用状況を示した図である。
【符号の説明】
【００１９】
１  撒き餌攪拌具
２  刃
３  二股フレーム
４  グリップ
５  攪拌棒部
【図１】
2005073596.tif 000003
【図２】
2005073596.tif 000004
【図３】
2005073596.tif 000005
【図４】
2005073596.tif 000006
(57)【要約】【課題】  ヒトエグサは、一重の細胞であり、粘性があるので、約0.1mmの薄いシートにできる。アオノリは２層の細胞で筒状のために量を多くすると薄いシートにならない。アオノリの使用量を減らすことによって、シートにすることを主要な特徴とする。【解決手段】  材料は乾燥品、冷凍品を用いることもできるが、新鮮な生材料を用い、これらの原料を適度の混合比をアオノリ：ヒトエグサ＝2〜3：8〜7にすることにより、海苔と同じ寸法で乾燥重量を4〜5ｇなる薄いシートに製造することができる。【選択図】    図１
2005073544.tif 000002
【特許請求の範囲】
【請求項１】
アオノリ（数種のアオノリ属を総称してアオノリと呼ぶ）とヒトエグサを原料として、適度の配合により、海苔と同じサイズの青海苔シート（板青海苔）を製造する方法。
【請求項２】
請求項１の原料は乾燥品、冷凍品を用いることも出来るが、新鮮な材料が用いることにより、品質の高い製品になることを特徴とする方法。
【請求項３】
請求項１の原料を混合比によって、海苔と同じ寸法（21cm x 19cm）で、乾燥重量を4〜5gなるように薄いシートにする特徴とする方法。
【発明の詳細な説明】
【技術分野】
【０００１】
本発明は、アオノリとヒトエグサの原料を混合して、海苔と同じ寸法の薄いシートの板青海苔を製造する方法に関する。
【背景技術】
【０００２】
海苔は、紅藻のアサクサノリやスサビノリを主体とするアマノリ類の原料として製造する日本の代表的な海藻産業である。緑藻のヒトエグサは、海苔と同じ製造方法で厚い板青海苔は製造されてきたが、量的には極めて少ない。ヒトエグサの多くは、海苔の佃煮の原料となっている。緑藻のアオノリは濃緑色で香りがよく、青粉として呼ばれた粉末で使われていた。アオノリとヒトエグサの原料を混合したシートは、今まで製造されたことはない。そのために、アオノリやヒトエグサを原料にした青海苔シート製造技術に関する特許や文献は全くない。
【発明の開示】
【発明が解決しようとする課題】
【０００３】
ヒトエグサは、一重の細胞であり、粘性があるので、約0.1mmの薄いシートにできる。アオノリは２層の細胞で筒状のために量を多くすると薄いシートにならない。アオノリの使用量を全体の10〜30％にすることによって、シートにすることを最も主要な特徴とする。
【課題を解決するための手段】
【０００４】
アオノリ（数種のアオノリ属を総称してアオノリと呼ぶ）とヒトエグサを原料として、適度の配合により、海苔と同じサイズの青海苔シート（板青海苔）を製造する方法。
【０００５】
請求項１の原料は乾燥品、冷凍品を用いることも出来るが、新鮮な材料が用いることにより、品質の高い製品になることを特徴とする方法。
【０００６】
請求項１の原料を混合比によって、海苔と同じ寸法（21cm x 19cm）で、乾燥重量を４から５ｇなるように薄いシートにする特徴とする方法。
【発明の効果】
【０００７】
アオノリとヒトグサを混合した青海苔シートは、いままでにない食材であり、色彩がきれいで香りもよいので、巻き寿司、スープなどの料理への需要がある。
【発明を実施するための最良の形態】
【０００８】
ヒトエグサとアオノリの材料は、乾燥したものや冷凍してものも用いるが、新鮮な生（なま）の材料を用いる方法が品質の高い製品となる方法である。
【０００９】
アオノリを多く加えることにより、濃緑色、柔らかくて香りが高く、ヒトエグサを加えることにより、薄くて艶のあるシートが製造できる方法である。
【００１０】
アオノリとヒトエグサを1〜3：9〜7の割合で混合し、既存の海苔製造装置を用いて、海苔と製造方法、同じ条件で、海苔と同サイズ（19cm x 21 cm）で同じ重量（4〜5 g）の製品を製造することができる方法である。  
【実施例１】
【００１１】
海洋深層水を用いてタンク培養で製造されたアオノリ（生材料）と四万十川で養殖されたヒトエグサ（凍結材料）を混合して、既存の海苔製造装置により、海苔と同じ規格の板青海苔が製造できた。このシートは、濃緑色で香りがよく、巻き寿司や軍艦寿司の素材として高く評価された。しかし、シートに弾力性が弱いことがわかった。
【実施例２】
【００１２】
海洋深層水を用いてタンク培養で製造されたアオノリ（生材料）と浜名湖で養殖されたヒトエグサ（生材料）を混合して、既存の海苔製造により、海苔と同じ規格の板青海苔が製造できた。前述の方法より、薄く濃緑色で艶のあり弾力性のあるシートが製造された。
【産業上の利用可能性】
【００１３】
海苔は黒海苔と呼ばれるほど黒色であり、焼き海苔はグリーン色をしているが、鮮やかな緑色に欠ける。アオノリとヒトエグサによって製造された板青海苔は、鮮やかなグリーン色で磯の香りが強くて柔らかく、巻き寿司や軍艦寿司の素材として画期的な素材であり、新しい食品の素材として広い用途が期待される。
【図面の簡単な説明】
【００１４】
【図１】アオノリとヒトエグサを混合して製造した青海苔シート。８０％に縮尺。
【図１】
2005073544.tif 000003